(57)【特許請求の範囲】
【請求項１】
受信レベルと比較するための第１の閾値と、前記第１の閾値よりも低い受信レベルに相当する第２の閾値と、複数の基地局それぞれからの信号を選択的に受信するための基地局情報とを記憶する記憶手段と、
基地局からの信号を受信する受信手段と、
前記基地局情報に基づき当該複数の基地局各々から前記受信手段で受信した各信号の受信レベルを検出する検出手段と、
前記検出手段で検出された前記複数の基地局からの全ての信号の受信レベルが前記第１の閾値以下で且つ、少なくとも一つの信号の受信レベルが前記第２の閾値より上である場合には、第１の時間間隔でセルサーチを実行し、前記複数の基地局からの全ての信号の受信レベルが前記第２の閾値以下である場合には、前記第１の時間間隔よりも短い第２の時間間隔でセルサーチを実行する検索手段と、
前記第１の閾値を基地局から取得して前記記憶手段に格納する取得手段とを備え、
前記第２の閾値は、予め前記記憶手段に記憶されている
ことを特徴とする携帯電話機。
【請求項２】
前記携帯電話機は、更に、前記検索手段がセルサーチを実行した情報を記憶するサーチ記憶手段を備え、
前記検索手段は、
前記サーチ記憶手段に記憶された、セルサーチを実行した情報に基づいて、セルサーチの実行を制御する
ことを特徴とする請求項１記載の携帯電話機。
【請求項３】
前記基地局情報には、複数の周波数それぞれに対応して各周波数で通信の可能性が高い複数の基地局の情報が記憶され、
前記検出手段は、各周波数の前記複数の基地局からの信号の受信レベルを検出しており、
前記検索手段は、前記複数の周波数のうち、全ての周波数について前記複数の基地局からの信号の受信レベルが前記第２の閾値を下回った場合において前記第２の時間間隔で、セルサーチを実行する
ことを特徴とする請求項１記載の携帯電話機。
【請求項４】
前記基地局情報には、複数の周波数それぞれに対応して複数の基地局の情報が記憶され、
前記検索手段は、前記複数の周波数全てについてのセルサーチを実行する
ことを特徴とする請求項１記載の携帯電話機。
【請求項５】
前記記憶手段は、更に、
前記第２の閾値よりも低い受信レベルに相当する第３の閾値を記憶し、
前記検索手段は、更に、
全ての信号の受信レベルが、前記第３の閾値を下回る場合においては、前記第２の時間間隔より更に短い第３の時間間隔でセルサーチを実行する
ことを特徴とする請求項１記載の携帯電話機。
【請求項６】
前記サーチ記憶手段は、
前記検出手段で検出された前記複数の基地局からの全ての信号の受信レベルが前記第１の閾値以下で、且つ、少なくとも一つの受信レベルが前記第２の閾値より上である場合に実行された第１のセルサーチを実行した情報が記憶され、
前記検索手段による、前記サーチ記憶手段に記憶された前記第１のセルサーチを実行した情報に基づく第２のセルサーチの実行は、
前記第１のセルサーチの実行後、前記第１のセルサーチの実行から前記第１の時間間隔以内にセルサーチが実行され、且つ、前記検出手段で検出された前記複数の基地局からの全ての信号の受信レベルが前記第１の閾値以下で、且つ、少なくとも一つの受信レベルが前記第２の閾値より上となった場合に、当該第２の閾値よりも上となったときにセルサーチの実行を停止し、前記第１のセルサーチの実行から前記第１の時間間隔で前記第２のセルサーチを行うように制御する
ことを特徴とする請求項２記載の携帯電話機。
【請求項７】
携帯電話機においてセルサーチを実行するためのセルサーチ方法であって、
受信レベルと比較するための第１の閾値と、前記第１の閾値よりも低い受信レベルに相当する第２の閾値と、複数の基地局それぞれからの信号を選択的に受信するための基地局情報とを記憶する記憶ステップと、
基地局からの信号を受信する受信ステップと、
前記基地局情報に基づき当該複数の基地局各々から前記受信ステップで受信した各信号の受信レベルを検出する検出ステップと、
前記検出ステップで検出された前記複数の基地局からの全ての信号の受信レベルが前記第１の閾値以下で且つ、少なくとも一つの信号の受信レベルが前記第２の閾値より上である場合には、第１の時間間隔でセルサーチを実行し、前記複数の基地局からの全ての信号の受信レベルが前記第２の閾値以下である場合には、前記第１の時間間隔よりも短い第２の時間間隔でセルサーチを実行する検索ステップと、
前記第１の閾値を基地局から取得して前記携帯電話機の記憶手段に格納する取得ステップとを含み、
前記第２の閾値は、予め前記記憶手段に記憶されている
ことを特徴とするセルサーチ方法。
【請求項８】
メモリを有する携帯電話機のコンピュータにセルサーチを実行させるタイミングを決定する処理手順を示したセルサーチプログラムであって、
前記メモリには、受信レベルと比較するための第１の閾値と、前記第１の閾値よりも低い受信レベルに相当する第２の閾値と、複数の基地局それぞれからの信号を選択的に受信するための基地局情報とが記憶され、
前記処理手順は、
基地局からの信号を受信する受信ステップと、
前記基地局情報に基づき当該複数の基地局各々から前記受信ステップで受信した各信号の受信レベルを検出する検出ステップと、
前記検出ステップで検出された前記複数の基地局からの全ての信号の受信レベルが前記第１の閾値以下で且つ、少なくとも一つの信号の受信レベルが前記第２の閾値より上である場合には、第１の時間間隔でセルサーチを実行し、前記複数の基地局からの全ての信号の受信レベルが前記第２の閾値以下である場合には、前記第１の時間間隔よりも短い第２の時間間隔でセルサーチを実行する検索ステップと、
前記第１の閾値を基地局から取得して前記携帯電話機のメモリに格納する取得ステップとを含み、
前記第２の閾値は、予め前記メモリに記憶されている
ことを特徴とするセルサーチプログラム。
【発明の詳細な説明】
【技術分野】
【０００１】
本発明は、携帯電話機における、セルサーチの方法に関する。
【背景技術】
【０００２】
従来、携帯電話機は、位置登録している基地局から、通信を行う周波数について、いくつかのスクランブリングコードを与えられる。スクランブリングコードとは、携帯電話機が基地局を認識するためのコードで、一つのスクランブリングコードは、一つの基地局に対応している。スクランブリングコードを用いて対応する基地局からの信号を特定して、その信号の受信レベルを得ることができる。位置登録している基地局から複数のスクランブリングコードを取得することで、携帯電話機が移動した場合に対応して容易に次に通信ができる可能性が高い基地局を検索できるようにする。基地局から与えられるいくつかのスクランブリングコードには、その基地局に対応するスクランブリングコードとその周辺の基地局に対応するスクランブリングコードとが含まれる。
【０００３】
携帯電話機は、それらのスクランブリングコードについて、対応する基地局からの信号の受信レベルと、基地局から報知される安定した通信を行うことを保証するための閾値（以降、Sintrasearchという）との比較を行っている。そして受信レベルがSintrasearchを下回った場合において、与えられているスクランブリングコードだけでなく全てのスクランブリングコードについて、その受信レベルがSintrasearchを満たすものがないか、満たすものがあるなら、その中で最も受信レベルの高いものはどのスクランブリングコードに対応する基地局からの信号であるかを検出し、セル・リセレクションを行っている。セル・リセレクションとは、自機がどの基地局と通信するのか設定しなおす、つまり基地局への位置登録の更新のことをいう。この全てのスクランブリングコードについての検出は、約１０秒に１回の割合で行われている。
【０００４】
携帯電話機はより安定した通信を行うために、通信状態の良い新たな基地局を検索するが、特許文献１には、高速で当該検索を行う携帯電話機が開示されている。
【特許文献１】特開２００２−１５８６１４号公報
【発明の開示】
【発明が解決しようとする課題】
【０００５】
ところで、従来における検索方法においては、無駄に消費電力が高くなるという問題を有していた。基本的に携帯電話機においては、技術の進歩によりバッテリーの持ちは良くなっているとは言え、待ちうけ状態においてはなるべく消費電力を抑えておきたいのは言うまでもない。
そこで、本発明においては、消費電力を抑えつつ、安定して通信を行うための基地局の検索を実行できる携帯電話機を提供することを目的とする。
【課題を解決するための手段】
【０００６】
上記課題を解決するため、本発明に係る携帯電話機は、受信レベルと比較するための第１の閾値と、前記第１の閾値よりも低い受信レベルに相当する第２の閾値と、複数の基地局それぞれからの信号を選択的に受信するための基地局情報とを記憶する記憶手段と、基地局からの信号を受信する受信手段と、前記基地局情報に基づき当該複数の基地局各々から前記受信手段で受信した各信号の受信レベルを検出する検出手段と、前記検出手段で検出された前記複数の基地局からの全ての信号の受信レベルが前記第１の閾値以下で且つ、少なくとも一つの信号の受信レベルが前記第２の閾値より上である場合には、第１の時間間隔でセルサーチを実行し、前記複数の基地局からの全ての信号の受信レベルが前記第２の閾値以下である場合には、前記第１の時間間隔よりも短い第２の時間間隔でセルサーチを実行する検索手段とを備えるを備えることを特徴としている。
【０００７】
ここでいうセルサーチとは原則的に、そのとき携帯電話機が基地局に位置登録をして通信を行っている周波数において、全ての基地局からの信号の受信レベルを検出し、通信が安定する閾値を満たすものがあるかどうかを判定することをいう。原則的としたのは、例えば当該閾値を満たす受信レベルがあった場合には、そこで検索をやめるようにすることなども考えられるためである。
【発明の効果】
【０００８】
上述のような構成によって、携帯電話機は、待ちうけ状態において、従来においては第１の閾値以下においては第２の時間間隔、例えば４ＤＲＸ（Discontinuous Reception）間隔（例えば１ＤＲＸ＝２．５６秒）、でセルサーチを実行していたが、本発明においては、第１から第２の閾値の間に受信レベルがある場合には第１の時間間隔で、例えば１２ＤＲＸ間隔、でセルサーチを実行する。
【０００９】
こうすることで、待ちうけ状態におけるセルサーチの実行を極力抑えておけるので省電力につながるという効果を得る。
また、前記携帯電話機は、更に、前記第１の閾値を基地局から取得して前記記憶手段に格納する取得手段を備え、前記第２の閾値は、予め前記記憶手段に記憶されていることとしてよい。
【００１０】
これにより、第１の閾値は従来どおり基地局から報知されるが、第２の閾値に関しては携帯電話機に予め記憶させておいてセルサーチの時間間隔を決定できるようになる。予め、省電力効果が得られ、かつ、通信がなるべく途切れない閾値を実験的に調査しておくことで最適な第２の閾値を記憶しておくことができる。
また、前記基地局情報には、複数の周波数それぞれに対応して各周波数で通信の可能性が高い複数の基地局の情報が記憶され、前記検出手段は、各周波数の前記複数の基地局からの信号の受信レベルを検出しており、前記検索手段は、前記複数の周波数のうち、全ての周波数について前記複数の基地局からの信号の受信レベルが前記第２の閾値を下回った場合において前記第２の時間間隔で、セルサーチを実行することとしてよい。
【００１１】
これにより、複数の周波数全てにおいて複数の基地局からの信号の受信レベルが第２の閾値を下回ったときに初めて第２の時間間隔でセルサーチが実行されるので、第２の時間間隔でセルサーチが実行されるタイミングが更に遅くなり、更なる省電力効果を望める。
また、前記基地局情報には、複数の周波数それぞれに対応して複数の基地局の情報が記憶され、前記検索手段は、前記複数の周波数全てについてのセルサーチを実行することとしてよい。
【００１２】
これにより、省電力の効果は薄れるものの複数の周波数全てについてセルサーチを実行するので、通信の信頼度を高めることができる。
また、前記記憶手段は、更に、前記第２の閾値よりも低い受信レベルに相当する第３の閾値を記憶し、前記検索手段は、更に、全ての信号の受信レベルが、前記第３の閾値を下回る場合においては、前記第２の時間間隔より更に短い第３の時間間隔でセルサーチを実行することとしてよい。
【００１３】
これにより、更に段階的に閾値を設けてセルサーチを実行するタイミングをより細かく設定でき、より細かく省電力と、通信の確保の両方を成立させるようにすることができる。
また、携帯電話機においてセルサーチを実行するためのセルサーチ方法であって、受信レベルと比較するための第１の閾値と、前記第１の閾値よりも低い受信レベルに相当する第２の閾値と、複数の基地局それぞれからの信号を選択的に受信するための基地局情報とを記憶する記憶ステップと、基地局からの信号を受信する受信ステップと、前記基地局情報に基づき当該複数の基地局各々から前記受信ステップで受信した各信号の受信レベルを検出する検出ステップと、前記検出ステップで検出された前記複数の基地局からの全ての信号の受信レベルが前記第１の閾値以下で且つ、少なくとも一つの信号の受信レベルが前記第２の閾値より上である場合には、第１の時間間隔でセルサーチを実行し、前記複数の基地局からの全ての信号の受信レベルが前記第２の閾値以下である場合には、前記第１の時間間隔よりも短い第２の時間間隔でセルサーチを実行する検索ステップとを含むこととしてよい。
【００１４】
あるいは、メモリを有する携帯電話機のコンピュータにセルサーチを実行させるタイミングを決定する処理手順を示したセルサーチプログラムであって、前記メモリには、受信レベルと比較するための第１の閾値と、前記第１の閾値よりも低い受信レベルに相当する第２の閾値と、複数の基地局それぞれからの信号を選択的に受信するための基地局情報とが記憶され、前記処理手順は、基地局からの信号を受信する受信ステップと、前記基地局情報に基づき当該複数の基地局各々から前記受信ステップで受信した各信号の受信レベルを検出する検出ステップと、前記検出ステップで検出された前記複数の基地局からの全ての信号の受信レベルが前記第１の閾値以下で且つ、少なくとも一つの信号の受信レベルが前記第２の閾値より上である場合には、第１の時間間隔でセルサーチを実行し、前記複数の基地局からの全ての信号の受信レベルが前記第２の閾値以下である場合には、前記第１の時間間隔よりも短い第２の時間間隔でセルサーチを実行する検索ステップとを含むこととしてよい。
【００１５】
これら方法、プログラムにより、携帯電話機は、セルサーチを実行するタイミングを決定することができる。
【発明を実施するための最良の形態】
【００１６】
以下、本発明にかかる携帯電話機について図面を用いて説明する。
＜実施の形態＞
＜概要＞
本願発明の概要について図１を用いて従来の場合と比較しながら説明する。図１（ａ）は、従来の場合についてを示しており、図１（ｂ）は、本願の場合についてを示している。図１（ａ）（ｂ）共に縦方向に受信レベルSqualと閾値との対応を示しており、それぞれの図面上の方が受信レベルが高いものとする。
【００１７】
従来においては、携帯電話機は、待ちうけ中において、自機が位置登録している基地局との通信周波数の受信レベルSqualが、基地局より報知されるSintrasearch（例えば、１０dB）以下になった時点で、４ＤＲＸごとにセルサーチを行う。前述したようにここではセルサーチとは、通信周波数の全てのスクランブリングコードに対応する基地局からの信号について、その受信レベルの確認を行うことをいい、以後フルサーチと表現する。フルサーチは、例えばスクランブリングコードの値を１から順に１ずつ加算していって、各スクランブリングコードについて、その受信信号とSintrasearchとの比較を行う。フルサーチは数十msecで実行できる。通常時は、携帯電話機は、基地局から取得するセルサーチリストに表記されているスクランブリングコードに対応する基地局からの信号についてのみ受信レベルの確認を行い、以降これをリストサーチと表現する。
【００１８】
本願においては、携帯電話機は待ちうけ中において自機の通信周波数においてセルサーチリストにある複数の基地局からの信号それぞれの受信レベルSqualが、基地局から報知されている規定値Sintrasearchを下回った場合において、更に予め定めた閾値Ｙよりも低いかどうかを判定する。そして閾値Ｙよりも高い場合においては、従来よりも長い時間間隔１２ＤＲＸでフルサーチを行うようにする。そして、受信レベルが閾値Yを下回った場合に従来と同様の時間間隔４ＤＲＸでフルサーチを行う。また閾値Ｙよりも更に低い閾値Ｗを設け、受信レベルが閾値Ｗよりも低い場合には、１ＤＲＸ毎にフルサーチを行って、安定できる通信周波数のスクランブリングコードを検出しようとする。
【００１９】
なお、Squalは、CPICH（Common Pilot Channel）のEc/Io測定値から、Ec/Ioの最低品質レベルを減算することによって得られる。EcとはCPICHの受信電力であり、Ioは、干渉電力や熱雑音電力の和のことである。Ec/Io測定値は、従来の方式に基づいて測定される。Ec/Ioの最低品質レベルは、基地局から報知される値で、通常−２０dBである。また、Sintrasearchは、１０dBである。これらの値は、Ec/Io測定値の実測値に基づいて決定されている。
＜構成＞
次に、携帯電話機の機能構成についで、図２のブロック図を用いて説明する。
【００２０】
図２は、本願発明に係る携帯電話機２００の機能構成を示したブロック図である。図２に示すように携帯電話機２００は、通信部２１０と、判定部２２０と、音声処理部２３０と、操作部２４０と、表示部２５０と、記憶部２６０と、計時部２７０と、制御部２８０とを含んで構成される。
通信部２１０は、アンテナ２１１を含んで構成され、アンテナ２１１から受け取った受信信号を受話音声信号及び受信データ信号に復調し、復調した受話音声信号を音声処理部２３０に、受信データ信号を制御部２８０に出力する機能を有する。また、音声処理部２３０でＡ／Ｄ変換された送話音声信号、及び制御部２８０から与えられる電子メールなどの送信データ信号を変調し、アンテナ２１１から出力する機能を有する。
【００２１】
本願においては特に、判定部２２０に対して位置登録している基地局と通信するための周波数の受信レベルを判定部２２０に通知する機能を有し、また、基地局からSintrasearch、セルサーチ表２６１などの情報を受信する機能を有する。Sintrasearch、セルサーチ表２６１については、後述する。
判定部２２０は、通信部２１０で更新している周波数の受信レベルと、記憶部２６０が記憶している、Sintrasearchと、閾値Ｙと、閾値Ｗとを比較し、その比較結果を制御部２８０に通知する機能を有する。
【００２２】
音声処理部２３０は、通信部２１０から出力された受話音声信号をＤ／Ａ変換してスピーカ２３２に出力すると共に、マイク２３１から取得した送話音声信号をＡ／Ｄ変換し、生成した信号を通信部２１０に出力する機能を有する。
操作部２４０は、テンキー、オンフックキー、オフフックキー、方向キー、決定キーなどの諸キー群を含み、ユーザの操作を受け付け、受け付けた操作内容を制御部１９０に伝達する機能を有する。
【００２３】
表示部２５０は、ＬＣＤ（Liquid Crystal Display）などによって実現されるモニタで、制御部２８０の指示による画像を表示する機能を有し、待受け画面やメールの文書などを表示したりする。
記憶部２６０は、ＲＯＭ（Read Only Memory）、ＲＡＭ（Random Access Memory）を含んで構成され、小型ハードディスクや不揮発性メモリなどによって実現され、携帯電話機２００が動作上必要とする各種プログラム、各種データなどを記憶する機能を有する。本願においては特に、セルサーチ表２６１を記憶する。また、待ちうけ中において実行するフルサーチの閾値となるSintrasearchと、閾値Ｙ、閾値Ｗを記憶している。Sintrasearchは基地局から報知され、自機が通信している周波数の閾値となる。もともと、Sintrasearchは安定した通信を保証するための受信レベルの閾値である。閾値Ｙ及び閾値Ｗは共に携帯電話機２００のメーカで設計段階によって設定する。閾値ＹはSintrasearchよりも低く、閾値Ｗは閾値Ｙよりも低く設定する。ここでは閾値Ｙは４dBに、閾値Ｗは０dBに設定されている。
【００２４】
計時部２７０は、時刻を計時し、タイマとしての機能を有する。待ちうけ状態でフルサーチを実行するタイミングを制御部２８０の時間間隔の指示に基づいて制御部に４ＤＲＸの時間経過や１２ＤＲＸの時間経過を制御部２８０に通知する。
制御部２８０は、携帯電話機２００の各部を制御する機能を有し、特に、判定部２２０から通知された受信レベルと各閾値の比較結果に応じて、フルサーチを実行する時間間隔を決定する。具体的には、受信レベルがSintrasearch以下で、Ｙよりも上であった場合には、フルサーチを実行する時間感覚を１２ＤＲＸにするように判定する。受信レベルがＷよりも上で、Ｙ以下である場合には、フルサーチを実行する時間間隔を従来どおりの４ＤＲＸに設定する。そして受信レベルがＷ以下であった場合には、毎ＤＲＸフルサーチを実行するように設定する。
＜データ＞
図３は、携帯電話機２００が、基地局から受信するセルサーチ表の一例を示している。
【００２５】
セルサーチ表２６１には、周波数３０１と、ＰＳＣ（Prior Scrambling Code）３０２と、ＳＣ（Scrambling Code）３０３とが含んで記憶される。
周波数３０１は、一番左が自機が現在位置登録をし、通信している周波数を示している。図においては１０７１２Ｈｚになっている。それ以外の周波数は、通信可能な他の周波数を示しており右に行くほど優先度が下がる。セルサーチ表２６１では、その他の周波数としては１０６８８Ｈｚと１０７３７Ｈｚとが記憶されている。
【００２６】
ＰＳＣ３０２は、それぞれの周波数において最適かつ通信可能と思われるスクランブリングコードを示している。例えば、周波数１０７１２Ｈｚの場合においてはＰＳＣは１である。
ＳＣ３０３は、それぞれの周波数において通信可能と思われるスクランブリングコードを示している。例えば、周波数１０７１２Ｈｚの場合においては上から順に３、６、２８、１０１となっている。
【００２７】
各スクランブリングコードは、１の基地局、即ち１つのセルに対応している。
基本的に各周波数についてＰＳＣとＳＣは合計で２０以下であるとする。
＜動作＞
図４に、携帯電話機２００においてリストサーチとフルサーチを実行するタイミングのタイミングチャートを示した。
【００２８】
図４（ａ）は、セルサーチ表２６１にある各周波数とそれぞれのスクランブリングコードについて、受信レベルがSintrasearchを満たしているかどうかを判定するタイミングを示す図である。即ち、リストサーチは、図４（ａ）に示すタイミングでサーチを行う。つまり、１ＤＲＸに一回の割合でセルサーチ表に記されているスクランブリングコードについてのサーチを行う。１ＤＲＸは、２．５６秒とする。
【００２９】
図４（ｂ）は、受信レベルSqualが、閾値Ｙよりも高く、Sintrasearch以下である場合にフルサーチを実行するタイミングを示している。例えば図４（ａ）の時刻Ｔ１におけるリストサーチで、受信レベルがこの条件を満たした場合においては、それに対応して時刻Ｔ１６においてフルサーチを実行するように設定する。そして、受信レベルがこの条件を満たす限り、１２ＤＲＸごとにフルサーチを実行する。この場合においては時刻Ｔ１６の次にフルサーチが実行されるのはＴ１７においてということになる。
【００３０】
図４（ｃ）は、受信レベルSqualが、閾値Ｗよりも高く、閾値Ｙ以下である場合にフルサーチを実行するタイミングを示している。例えば図４（ａ）の時刻Ｔ１におけるリストサーチで、受信レベルがこの条件を満たした場合においては、それに対応して時刻Ｔ１８においてフルサーチを実行するように設定する。以降においても同様の範囲内に受信レベルが保たれるならば、時刻Ｔ１９、Ｔ２０、Ｔ２１でフルサーチを実行する。
【００３１】
図４（ｄ）は、受信レベルSqualが、閾値Ｗ以下である場合にフルサーチを実行するタイミングを示している。例えば図４（ａ）の時刻Ｔ１におけるリストサーチで、受信レベルがこの条件を満たした場合においては、次の時刻Ｔ２２においてフルサーチを実行するように設定する。そして以降においても同様の受信レベルが保たれるならば、時刻Ｔ２３、Ｔ２４、・・・、Ｔ３６においてもフルサーチを実行する。
【００３２】
次に、本実施の形態の動作を図５に示すフローチャートを用いて説明する。
携帯電話機２００の判定部２２０は、１ＤＲＸごとに自機が位置登録をしている通信周波数についてセルサーチ表にある複数の基地局からの信号の受信レベルがSintrasearchよりも低いかどうかを判定している（ステップＳ５０１）。
SqualがSintrasearch以下でなかった場合（ステップＳ５０１のＮＯ）には、フルサーチの設定がされている場合にはその設定を解除して継続してリストサーチを実行する。SqualがSintrasearch以下であった場合（ステップＳ５０１のＹＥＳ）には、次にSqualが、閾値Ｙ以下であるかどうかを判定する（ステップＳ５０３）。
【００３３】
Squalが閾値Ｙ以下でなかった場合（ステップＳ５０３のＮＯ）には、フルサーチを実行し、かつ１２ＤＲＸ毎にフルサーチを実行するように設定する（ステップＳ５１１）。そしてステップＳ５０１に戻って以降の処理を実行する。
Squalが閾値Ｙ以下であった場合（ステップＳ５０３のＹＥＳ）には、次にSqualが閾値Ｗ以下であるかどうかを判定する（ステップＳ５０５）。Squalが閾値Ｗ以下でなかった場合（ステップＳ５０５のＮＯ）には、フルサーチを実行し、かつ４ＤＲＸ毎にフルサーチを実行するように設定して、ステップＳ５０１に戻って以降の処理を実行する。Squalが閾値Ｗ以下であった場合（ステップＳ５０５のＹＥＳ）には、フルサーチを実行し、かつ１ＤＲＸ毎にフルサーチを実行するように設定して、ステップＳ５０１に戻って以降の処理を実行する。
【００３４】
なお、上記動作のステップＳ５０７、Ｓ５０９、Ｓ５１１において、それまでに同じ設定がなされていた場合には、設定の更新を行わず、かつ、フルサーチの実行タイミングでない場合にはフルサーチは実行しない。
携帯電話機２００は、待ちうけ中において上記処理を繰り返している。
＜補足＞
上記実施の形態にしたがって、本願発明に係る携帯電話機について説明してきたが本願実施の形態はこれに限定されるものではない。以下、その変形例について記述する。
（１）上記実施の形態においては、Sintrasearchの下の閾値としてＹ及びＷを設けたが、これは必ず２つである必要はなく、例えばＹのみであってもよいし、３以上あってもよい。本願発明においては、少なくとも２以上の閾値があればよい。
【００３５】
また、上記においての各閾値の数値は、必ずしもその値である必要はなく、別の数値であってもよい。
（２）上記実施の形態においては、簡潔にするために、自機が位置登録している周波数のSqualが、閾値Ｙ以下になった場合にフルサーチを４ＤＲＸごとに実行するとしたが、セルサーチ表２６１にある全ての周波数の、全てのスクランブリンコードに対応する基地局からの信号の受信レベルが、閾値Ｙ以下になった場合にはじめて４ＤＲＸ毎にフルサーチを実行するようにしてもよい。
【００３６】
自機が位置登録している周波数以外のセルサーチ表２６１にある通信が容易と思われる周波数について十分な受信レベルを確保できる可能性は高いと思われる。他の周波数についても閾値Ｙを設けてこれを下回った時点でフルサーチを実行するようにすると、フルサーチを実行する条件が厳しくなるので、その結果更なる省電力化につなげることができる。
（３）上記実施の形態においては、自機が位置登録している周波数についてのみフルサーチを実行することとしたが、より安定した通信の確保のためにセルサーチ表にある全ての周波数についてフルサーチを実行することとしてもよい。但し、この場合においては省電力の効果は薄れる。
（４）上記実施の形態においては、自機が位置登録をしている周波数におけるフルサーチの実行タイミングについて記述したが、セルサーチ表にある他の周波数それぞれについても同様にフルサーチを実行するタイミングを本願発明のように定めてもよい。
（５）上記実施の形態においては、Squalの変動があり、閾値を跨いだ場合に、すぐにフルサーチを実行し、かつ、実行タイミングの設定を行っていた。しかし、一つの閾値を跨いで連続的に変化した場合、連続的にフルサーチが実行されることになる。例えば、フルサーチを実行するタイミングが１２ＤＲＸに１回に設定された後に、次のＤＲＸでSqualが閾値Ｙを下回り、更に次にSqualが閾値Ｙを超え、且つSintrasearch以下であった場合には、連続して３回フルサーチが実行されることになる。この場合、フルサーチの発生頻度が多くなっているので省電力の効果が薄れてしまう。
【００３７】
そこで、過去の履歴、即ち、前回フルサーチがどのタイミングで行う設定がなされていたか、そして最後にフルサーチをいつ実行したのかという情報を記憶部２６０に残し、それを参照して、フルサーチを実行するかどうかを判断するようにしてもよい。
つまり、図４のタイミングチャートを参照して具体例をあげて説明すると、まず、受信レベルSqualがY＜Squal≦Sintrasearchを時刻Ｔ１で満たしたとして、それに対応して時刻Ｔ１６でフルサーチを実行したとする。そして時刻Ｔ２において受信レベルが下がって、それに対応してフルサーチが実行される。そして再び時刻Ｔ３において受信レベルSqualがY＜Squal≦Sintrasearchを満たした場合には、前回フルサーチが１２ＤＲＸに行う設定がなされていたことと前回実際にフルサーチを実行したのがＴ１６であったという情報を参照し、受信レベルの変化が発生せず、本来１２ＤＲＸでフルサーチを行う場合には次は時刻Ｔ１７で実行する予定であったと判断し、時刻Ｔ３の変化に対応する形でフルサーチは実行せずに時刻Ｔ１７でフルサーチを実行するようにしてもよい。
（６）上記実施の形態において、設定した閾値以下などの設定は携帯電話機の設計者の任意によるものであってよく、閾値以下を閾値未満などとしてもよい。つまり、閾値は受信レベルがどの範囲にあるかを判断する材料になるものであればよい。
（７）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００３８】
また、本発明は、前記コンピュータプログラム又は前記デジタル信号をコンピュータ読み取り可能な記録媒体、例えば、ハードディスク、半導体メモリなど、に記録したものとしてもよい。また、これらの記録媒体に記録されている前記コンピュータプログラム又は前記デジタル信号であるとしてもよい。
また、本発明は、前記コンピュータプログラム又は前記デジタル信号を、電気通信回線、無線又は有線通信回線、インターネットを代表とするネットワーク等を経由して伝送するものとしてもよい。
【産業上の利用可能性】
【００３９】
本発明に係る携帯電話機は、待ちうけ状態において消費電力の少ない携帯電話機として活用することができる。
【図面の簡単な説明】
【００４０】
【図１】本発明の概要と従来の技術の比較を示した概要図である。
【図２】本発明に係る携帯電話機の機能構成を示したブロック図である。
【図３】携帯電話機が基地局から受信するセルサーチ表の一例を示している。
【図４】携帯電話機がサーチを行うタイミングを示したタイミングチャートである。
【図５】携帯電話機のサーチの設定に関する動作を示したフローチャートである。
【符号の説明】
【００４１】
２００  携帯電話機
２１０  通信部
２１１  アンテナ
２２０  判定部
２３０  音声処理部
２３１  マイク
２３２  スピーカ
２４０  操作部
２５０  表示部
２６０  記憶部
２６１  セルサーチ表
２７０  計時部
２８０  制御部
【図１】
0004675199.tif 000002
【図２】
0004675199.tif 000003
【図３】
0004675199.tif 000004
【図４】
0004675199.tif 000005
【図５】
0004675199.tif 000006